(57)【要約】【課題】長期使用により発生する壁部構成板の反りやねじれ等を防止する壁部構造体、それに使用する壁部構成板及び固定部材を提供する。【解決手段】壁部構造体は、柱５に対し横長に複数枚設置される壁部構成板１を備えている。壁部構成板１は、上端側に長手方向に沿って設けてある凸部２と、下端側に長手方向に沿って設けてあり、凸部２が嵌合可能な凹部３と、厚み方向の一方の面を構成する裏面部１１と、厚み方向の他方の面を構成する表面部１２とを備えている。表面部１２は、表面部１２と裏面部１１間の厚みが下方に向かって増すように傾斜している。壁部構成板１の下縁部には、表面部１２と鋭角をなして傾斜する逆流防止面３１２が設けてある。壁部構成板１の裏面部１１と取付部材５の当接面とは隙間なく接しており、且つ、凸部２と凹部３との嵌合によって壁部構成板１は上下方向に連結されている。【選択図】　　　図４
2004052330.tif 000002
【特許請求の範囲】
【請求項１】
壁部構成板（１）を横長に設置して取付部材（５）に複数枚固定することで構成される壁部構造体であって、
上記壁部構成板（１）は、
上端側または下端側の何れか一方に長手方向に沿って設けてある凸部（２）と、
他方に長手方向に沿って設けてあり、上記凸部（２）が嵌合可能な凹部（３）と、
厚み方向の一方の面を構成する裏面部（１１）と、
厚み方向の他方の面を構成する表面部（１２）と、
を備え、
上記表面部（１２）は、該表面部（１２）と裏面部（１１）間の厚みが下方に向かって増すように傾斜しており、
上記壁部構成板（１）の下縁部には、裏面部（１１）方向への雨水の逆流を防止するために、上記表面部（１２）と鋭角をなして傾斜する逆流防止面（３１２）が設けてあり、
壁部構成板（１）の裏面部（１１）と取付部材（５）の当接面とは隙間なく接しており、且つ、凸部（２）と凹部（３）との嵌合によって壁部構成板（１）は上下方向に連結されていることを特徴とする、
壁部構造体。
【請求項２】
壁部構造体は、連結した壁部構成板（１）の表面部（１１）側に設けて固定されている固定部材（４）を含み、
該固定部材（４）の壁部構成板（１）と接する側には、連結した壁部構成板（１）の外形に合うように形成された嵌合部（４２）と、長さ方向に沿って設けてあり壁部構成板（１）との間で空間部（４１０）を形成する溝部（４１）を有することを特徴とする、
請求項１記載の壁部構造体。
【請求項３】
壁部構成板（１）は釘打ち面（２１）を有し、釘打ち面（２１）に打たれた釘（６）の頭部は、上部側に連結される他の壁部構成板（１）によって表面に現れないように構成されていることを特徴とする、
請求項１または請求項２記載の壁部構造体。
【請求項４】
横長に設置して取付部材（５）に複数枚固定することで壁部構造体を構成する壁部構成板（１）であって、
上記壁部構成板（１）は、
上端側または下端側の何れか一方に長手方向に沿って設けてある凸部（２）と、
他方に長手方向に沿って設けてあり、上記凸部（２）が嵌合可能な凹部（３）と、
厚み方向の一方の面を構成する裏面部（１１）と、
厚み方向の他方の面を構成する表面部（１２）と、
を備え、
上記表面部（１２）は、該表面部（１２）と裏面部（１１）間の厚みが下方に向かって増すように傾斜しており、
上記壁部構成板（１）の下縁部には、裏面部（１１）方向への雨水の逆流を防止するために、上記表面部（１２）と鋭角をなして傾斜する逆流防止面（３１２）が設けてあることを特徴とする、
壁部構成板。
【請求項５】
釘打ち面（２１）を有し、釘打ち面（２１）に打たれた釘（６）の頭部は、上部側に連結される他の壁部構成板（１）によって表面に現れないように構成されていることを特徴とする、
請求項４記載の壁部構成板。
【発明の詳細な説明】
【０００１】
【発明の属する技術分野】
本発明は、壁部構造体、それに使用する壁部構成板及び固定部材に関する。
更に詳しくは、長期使用により発生する壁部構成板の反りやねじれ等を防止したものに関する。
【０００２】
【従来技術】
従来より、家屋の外壁を被う横板張として、「下見」と称される側壁構造が採用されている。図７は従来の「下見」と称される側壁構造を示す概略断面図である。
【０００３】
従来のものは、柱５に対し、木製で長板状の下見板７，…を下端部７１と上端縁部７２が少しずつ重なり合うように、釘打ちによって固定されている。これにより、各下見板７，…は一定の傾斜を保って設けられる。この傾斜構造と重なり構造によって雨を外へはじき、柱５や壁面を腐蝕から守る。符号６は釘を示している。
【０００４】
符号８は、「簓子（ささらこ）」や「簓縁（ささらぶち）」と称される下見板を押さえるために使用する固定部材である。固定部材８には、重ねた下見板７に合致するように、鋸歯状の刻み目８１が多数設けてある。　重ね合わせた下見板７の上から、固定部材８を釘打ちにより固定する。固定部材８は、下見板７の長手方向と直角に交差するように取付けられる。
【０００５】
【発明が解決しようとする課題】
図７に示す従来のものは、下見板７の一部が上下に重なり合った状態で固定されている。よって、必然的に柱５の当接面と下見板７の間には隙間１０が形成されている。このため、雨風に長期間さらされることで、下見板７が隙間１０と反対側へ反ったり、ねじれたりする問題があった。また、その隙間１０からムカデ等の害虫が侵入しやすいといった欠点もあった。
【０００６】
また図７に示すように、下見板７は一定の傾斜を保って設けてあるので、下面部７１１は壁面側に下り傾斜している。このため、雨風が強い日には、流れ落ちる雨水の一部が下面部７１１を伝って隙間１０内に逆流し、壁面や壁部構成板を腐らせるといった問題もあった。
【０００７】
更に従来のものでは、下見板７に打ち付けた釘６の頭部が表面に露出している。よって、雨風にさらされることによって釘６の頭部が腐蝕しやすく、外観上も見苦しかった。更に、雨水が釘６を伝わって内部に浸透し、釘６の根元部分の柱５や下見板７を腐らせる。これによって釘６の効きが悪くなり、下見板７にがたつきが生じるといった問題もあった。
【０００８】
また施工時には、下見板７の下端部７１と上端部７２と重ね、下見板７を水平に保ちながら釘打ちしていく必要がある。この作業は、下見板７に墨入れを行って正確に行う必要があり、熟練した作業者にとっても労力と時間を要するものであった。
【０００９】
更にまた上記したように、下見板７の固定には、細長い木製の固定部材８が使用される。固定部材８は、下見板７を押さえ付けた状態で固定されている。このため、固定部材８と下見板７の間には隙間が殆どなく、通気性が悪い。よって、雨水が固定部材８と下見７板の間に入ると、乾燥に時間がかかり、当該部分が腐りやすいといった欠点もあった。
【００１０】
（発明の目的）
そこで本発明の目的は、長期使用により発生する壁部構成板の反りやねじれ等を防止することである。
【００１１】
本発明の他の目的は、雨水が裏面側に逆流することを防止して、壁部の腐蝕を防ぐことにある。
【００１２】
本発明の他の目的は、釘の露出をなくして壁部構造体の外観を向上させるとともに、釘の腐蝕によって釘が効きにくくなる等の不都合を防止することにある。
【００１３】
本発明の他の目的は、熟練した作業者でなくでも容易に壁部構造体の施工ができ、施工に要する時間を短縮できるようにすることにある。
【００１４】
本発明の他の目的は、壁部構成板と固定部材間の通水性や通気性を高めて、当該部分の腐蝕を防止できるようにすることにある。
【００１５】
【課題を解決するための手段】
上記目的を達成するために講じた本発明の手段は次のとおりである。
第１の発明にあっては、
壁部構成板（１）を横長に設置して取付部材（５）に複数枚固定することで構成される壁部構造体であって、
上記壁部構成板（１）は、
上端側または下端側の何れか一方に長手方向に沿って設けてある凸部（２）と、
他方に長手方向に沿って設けてあり、上記凸部（２）が嵌合可能な凹部（３）と、
厚み方向の一方の面を構成する裏面部（１１）と、
厚み方向の他方の面を構成する表面部（１２）と、
を備え、
上記表面部（１２）は、該表面部（１２）と裏面部（１１）間の厚みが下方に向かって増すように傾斜しており、
上記壁部構成板（１）の下縁部には、裏面部（１１）方向への雨水の逆流を防止するために、上記表面部（１２）と鋭角をなして傾斜する逆流防止面（３１２）が設けてあり、
壁部構成板（１）の裏面部（１１）と取付部材（５）の当接面とは隙間なく接しており、且つ、凸部（２）と凹部（３）との嵌合によって壁部構成板（１）は上下方向に連結されていることを特徴とする、
壁部構造体である。
【００１６】
第２の発明にあっては、
壁部構造体は、連結した壁部構成板（１）の表面部（１１）側に設けて固定されている固定部材（４）を含み、
該固定部材（４）の壁部構成板（１）と接する側には、連結した壁部構成板（１）の外形に合うように形成された嵌合部（４２）と、長さ方向に沿って設けてあり壁部構成板（１）との間で空間部（４１０）を形成する溝部（４１）を有することを特徴とする、
第１の発明に係る壁部構造体である。
【００１７】
第３の発明にあっては、
壁部構成板（１）は釘打ち面（２１）を有し、釘打ち面（２１）に打たれた釘（６）の頭部は、上部側に連結される他の壁部構成板（１）によって表面に現れないように構成されていることを特徴とする、
第１または第２の発明に係る壁部構造体である。
【００１８】
第４の発明にあっては、
横長に設置して取付部材（５）に複数枚固定することで壁部構造体を構成する壁部構成板（１）であって、
上記壁部構成板（１）は、
上端側または下端側の何れか一方に長手方向に沿って設けてある凸部（２）と、
他方に長手方向に沿って設けてあり、上記凸部（２）が嵌合可能な凹部（３）と、
厚み方向の一方の面を構成する裏面部（１１）と、
厚み方向の他方の面を構成する表面部（１２）と、
を備え、
上記表面部（１２）は、該表面部（１２）と裏面部（１１）間の厚みが下方に向かって増すように傾斜しており、
上記壁部構成板（１）の下縁部には、裏面部（１１）方向への雨水の逆流を防止するために、上記表面部（１２）と鋭角をなして傾斜する逆流防止面（３１２）が設けてあることを特徴とする、
壁部構成板である。
【００１９】
第５の発明にあっては、
釘打ち面（２１）を有し、釘打ち面（２１）に打たれた釘（６）の頭部は、上部側に連結される他の壁部構成板（１）によって表面に現れないように構成されていることを特徴とする、
第４の発明に係る壁部構成板である。
【００２０】
本明細書中で「釘」の用語は、ねじ釘である「ビス」を含む広い概念として使用している。
【００２１】
（作　用）
本発明の作用を、壁部構造体の施工手順に沿って説明する。なお、壁部構成板を固定する取付部材として、柱を例に挙げて説明する。
まず、一枚目の壁部構成板を柱に釘打ちをして固定する。壁部構成板は、裏面部と柱の当接面とが隙間なく接するように配置される。これにより、反りやねじれ等の原因となる隙間が柱の当接面と壁部構成板の間に形成されない。
次に、一枚目の壁部構成板の上部側に、二枚目の壁部構成板を配置して釘で固定する。即ち、凸部と凹部を嵌合させて、壁部構成板を上下方向に複数枚連結していく。
凸部と凹部の嵌合によって、壁部構成板は上下方向に配置された他の壁部構成板によって挟まれ、柱の当接面に確実に固定される。
【００２２】
壁部構成板の表面部は、表面部と裏面部間の厚みが下方に向かって増すように傾斜している。この傾斜構造により、雨水は表面部の接線方向に流れ落ちる。
【００２３】
壁部構成板の下縁部には、表面部と鋭角をなして傾斜する逆流防止面が設けてあるので、表面部を流れ落ちる雨水は、表面部の接線方向へ流れ落ち、逆流防止面を逆流して裏面方向へ流れにくい。
【００２４】
壁部構成板に釘打ち面が設けてあるものは、釘打ち面に打たれた釘の頭部は、上部側に連結される他の壁部構成板によって表面に現れない。
【００２５】
固定部材を含んでおり、壁部構成板との間で空間部を形成する溝部が固定部材の長さ方向に沿って設けてあるものでは、壁部構成板と固定部材の隙間に雨水が浸入しても、雨水は溝部を通って円滑に流れ落ちるため、水はけが良い。また、溝部によって壁部構成板と固定部材の接触部分の通気性も確保される。
【００２６】
【発明の実施の形態】
本発明を図面に示した実施の形態に基づき更に詳細に説明する。
［実施の形態１］
図１は、本発明に係る壁部構成板の一実施の形態を示す斜視説明図で、中間部分を一部省略して表している。
図２は、壁部構成板の側面視拡大断面説明図、
図３は、本発明に係る固定部材の一実施の形態を示す斜視説明図で、長さ方向の一部を省略して表している。
図４は、壁部構成板と固定部材によって構成した壁部構造体を断面した側面視説明図であり、図５のＩＩ−ＩＩ部分の断面に対応している。
図５は、図４のＩ−Ｉ部分に対応する端面を示す概略説明図である。
【００２７】
図１に示す壁部構成板１は、平面視略矩形状の板状体である。壁部構成板１は、例えば厚さが約１７ｍｍで、幅が１４０ｍｍの板材を加工して形成されるが、この寸法に特に限定するものではない。
壁部構成板１は、長さが例えば２０００〜５０００ｍｍのものが使用されるが、同じくこの寸法に特に限定するものではない。
【００２８】
壁部構成板１の上端側には、差し込み用の凸部２（さね）が長手方向に沿って設けてある。壁部構成板１の下端側には、上記凸部２に嵌め込むことができる凹部３（溝部）が長手方向に沿って設けてある。凹部３は凸部２と平行して設けてある。凸部２と凹部３を嵌合させて（実接ぎ、実矧ぎして）、壁部構成板１を上下方向に複数枚連結することで、図４に示すような壁部構造体が構成される。
【００２９】
図３に示す固定部材４は、連結後の各壁部構成板１を表面側に設けられるものである。固定部材４は、細長い木材（棒材）を加工して形成されている。
以下、壁部構成板１及び固定部材４について、順を追って詳しく説明する。
【００３０】
図１及び図２を参照して、壁部構成板１について説明する。
なお、下記に示す壁部構成板１の寸法や角度は一つの例を示しており、この寸法や角度に特に限定するものではない。
また説明の都合上、図２で壁部構成板１の右側を表面側とし、その反対側を裏面側とする。
【００３１】
図１に示すように、差し込み用の凸部２は、壁部構成板１の長手方向に沿って設けられている。符号１１は、厚み方向の一方の面を構成する裏面部である。図２で凸部２の表面側は、裏面部１１に対して約５度の角度で下り傾斜した釘打ち面２１を構成している。壁部構成板１の施工時には、この釘打面２１に釘が打ち付けられる。凸部２の釘打ち面２１は傾斜しているため、下端側の凹部３への差し込みが容易となっている。図２で凸部２の裏面側は、断面形状でほぼ直角になるように切り欠かれた切欠部２２となっている。
【００３２】
符号１２は、壁部構成板１の厚み方向の他方の面を構成する表面部を示している。表面部１２は、表面部１２と裏面部１１間の厚みが幅方向の下方向（凹部３側）に向かって増すように傾斜している。詳しくは、表面部１２は、裏面部１１に対して約２度の角度で傾斜している。
【００３３】
表面部１２と釘打ち面２１の間には、裏面部１１に対して約５度の角度で下り傾斜した第２傾斜面１３が設けてある。釘打ち面２１と第２傾斜面１３の間には、第１段差部２１１が設けられている。この第１段差部２１１によって、釘打ち面２１と第２傾斜面１３の境目が明確になっている。
【００３４】
第２傾斜面１３と表面部１２の間には、裏面部１１に対して例えば約４０度の角度で下り傾斜している第２段差部１３１が設けてある。
【００３５】
凸部２に嵌め込む凹部３は、壁部構成板１の長手方向に沿って設けられている。凹部３の形成に伴って、凹部３の両側には表面突条部３１と、裏面突条部３２が形成されている。表面突条部３１と裏面突条部３２は、凹部３と同様、壁部構成板１の長手方向に沿って設けられている。
【００３６】
凹部３には上記凸部２が差し込まれるため、凹部３の溝形状は凸部２の外形とほぼ一致している。つまり、凹部３の表面側壁部３１１は下端側へ下り傾斜しており、裏面側壁部３２１は裏面部１１とほぼ平行である。
【００３７】
裏面突条部３２は、上端側の切欠部２２に合致するように、断面略「コ」状に形成されている。一方、表面突条部３１は尖っており、裏面突条部３２の下端面３２２よりも下方へ張り出している。表面突条部３１の下端面は、表面部１２と鋭角をなして下り傾斜し、裏面部１１方向への雨水の逆流を防止する逆流防止面３１２を構成している。逆流防止面３１２と表面部１２のなす角は、例えば約４０度である。
【００３８】
図３を参照して、固定部材４について説明する。
固定部材４は、断面方形状の細長い木材（棒材）を加工して形成したものである。固定部材４の周面部のうち、壁部構成板１と接する面側（図３で上面側）の中央部分には、断面略「コ」状の溝部４１が設けてある。溝部４１は、固定部材４の全長にわたって設けられている。溝部４１の形成に伴って構成される左右両端側の壁部４０，４０には、嵌合部である刻み目４２（刃刻み）が長手方向に等間隔で多数設けてある。この刻み目４２部分を、上記した壁部構成板の表面突条部３１に嵌め込む。
【００３９】
（作　用）
図４を主に参照して、壁部構成板１を連結して構成される壁面構造体について説明する。
壁面構造体を構成する際は、以下のように、壁部構成板１を横長に設置して下から上に向け、取付部材である柱５に一枚ずつ打ち付けていく。
なお、壁部構成板１を固定する取付部材は、壁部構成板１を固定できるものであれば特に柱５に限定するものではなく、壁面や筋交いなどでもあっても良い。
【００４０】
まず、一枚目の壁部構成板１を柱５に釘打ちをして固定する。壁部構成板１は凸部２を上に向け、且つ、裏面部１１と柱５の当接面とが隙間なく接するように配置される。釘６は、壁部構成板１の釘打ち面２１（図１も参照）に所要間隔をおいて打ち付ける。釘６は、釘打ち面２１から柱５に向けて斜め下方に打ち込む。
【００４１】
次に、一枚目の壁部構成板１の上部側に、二枚目の壁部構成板１を配置して釘６を打ち付ける。即ち、二枚目の壁部構成板１は、一枚目の壁部構成板１の凸部２に、二枚目の凹部３が嵌め込まれるように配置する。そして、一枚目と同様に、二枚目の壁部構成板１の釘打ち面２１に釘６を打ち込む。
【００４２】
このように、従来の下見板と相違して、壁部構成板１は墨入れ作業を行うことなく凸部２と凹部３を嵌合させれば位置が決まり、後は釘打ち等により柱５に固定できる。よって、熟練した作業者でなくでも容易に壁部構造体の施工ができ、施工に要する時間が短縮できる。
【００４３】
図４に示すように、壁部構成板１の釘打ち面２１に打ち付けられた釘６の頭部は、上部側に連結される他の壁部構成板１の表面突条部３１によって隠れ、表面に現れない。よって、釘６の頭部は、直接雨風にさらされることはないので腐蝕しにくく、壁部構造体の外観は損なわれにくい。また、雨水が釘６を伝わって内部に浸透する恐れもないので、釘６の根元部分の柱５や壁部構成板１等は腐蝕しにくい。更に、釘６の腐蝕によって釘６の効きが悪くなることもないので、壁部構成板１のがたつきも生じにくい。
【００４４】
以上説明したような作業を繰り返しながら、柱５に壁部構成板１を上方向に張り付けていく。
壁部構成板１の張り付けが終了したら、壁部構成板１を押さえるために、固定部材４を取り付ける。固定部材４は、壁部構成板１の長手方向と直角に交差するように縦に取り付ける。図５に示すように、釘６は溝部４１の両側から壁部構成板１を貫通させて柱５に打ち込む。これで壁部構造体の施工は終了する。
【００４５】
以上の説明から明らかなように、図７に示す従来のものは、柱５と下見板７の間に隙間１０が形成されているため、長期使用によって下見板７が隙間１０と反対側へ反ったり、ねじれたりする問題があった。
しかしながら、本実施の形態では、壁部構成板１の裏面部１１と柱５の当接面が隙間なく密着しているため、反りやねじれ等の原因となる隙間が柱５の当接面と壁部構成板１の間に形成されない。
更に、凸部２と凹部３の嵌合によって、壁部構成板１は上下方向に配置された他の壁部構成板１によって挟みまれ、柱５から離れないように確実に固定される。したがって、長期使用によっても、壁部構成板１に反りやねじれ等が発生しにくい。
【００４６】
図７に示す従来のものは、下見板７の下面部７１１が柱５側に下り傾斜しているため、流れ落ちる雨水の一部が下面部７１１を伝って隙間１０内に逆流しやすかった。しかしながら、本実施の形態では、図４に示すように、表面突条部３１の逆流防止面３１２は、柱５の反対側へ下り傾斜している。よって、表面部１２を流れ落ちる雨水は、表面部１２の接線方向へ（柱５と反対側へ）流れ落ち、逆流防止面３１２を逆流して裏面方向に流れることはない。したがって、従来のものと相違して、壁部構成板１の裏面部１２方向への雨水の侵入を防止できるので、壁部は腐蝕しにくい。
【００４７】
なお、本実施の形態では、表面部１２と表面突条部３１の逆流防止面３１２のなす角は約４０度としているが、特にこれに限定するものではなく、使用する地域や場所によって自由に設定することができる。例えば、豪雨地帯や風の強い海岸部等では、角度をより小さくして表面突条部３１を更に下方へ突き出した形状とすることができる。
【００４８】
図７に示す従来のものは、下見板７の表面に固定部材４の当接面全体が隙間なく密着しているので、通気性が悪く、当該部分が腐りやすかった。しかしながら、本実施の形態では、図４及び図５に示すように、固定部材４に断面略「コ」状の溝部４１が設けてあるので、固定部材４と壁部構成板１との間で空間部４１０が形成される。したがって、壁部構成板１と固定部材４の隙間に雨水が浸入しても、雨水は溝部４１を通って流れ落ちるため、水はけが良い。また、溝部４１によって通気性も確保される。したがって、壁部構成板１と固定部材４の接触部分も腐蝕しにくい。
【００４９】
なお、釘６は溝部４１を貫通するように、固定部材４の中央部分に打ち付けることもできる。その場合でも、溝部４１によって空気の通りは良いので、釘６は錆びにくい。
【００５０】
［実施の形態２］
図６は本発明に係る固定部材の他の実施の形態を示し、固定部材を施工した状態の断面を示す壁面構造の一部概略説明図である。
なお、第１の実施の形態と同一または同等箇所には同一の符号を付して示している。また、第１実施の形態で示してある箇所については、重複する説明は省略し、主に相異点を説明する。
【００５１】
図６に示す固定部材４ａには、断面略「コ」状の溝部４１ａ，４１ａが幅方向に所要数（本実施の形態では２箇所に）並設されている。溝部４１ａ，４１ａは、固定部材４の全長にわたって連続して設けられている。これにより、固定部材４の幅方向のほぼ中央に釘６を打ち付けても、釘６が溝部４１，４１ａから突きでない。したがって、釘６も溝部４１，４１ａに現れないし、同じ高さに打ち付ける釘６の数も１本で足りる。
その他の作用・効果については、第１の実施の形態とほぼ同様であるので、説明を省略する。
【００５２】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００５３】
更に、特許請求の範囲には、請求項の記載の内容の理解を助けるため、図面において使用した符号を括弧を用いて記載しているが、特許請求の範囲を図面記載のものに限定するものではない。
【００５４】
【発明の効果】
本発明の効果は次の通りである。
（ａ）　本発明によれば、壁部構成板の裏面部と取付部材の当接面は隙間なく接している。このため、従来の下見と相違して、反りやねじれ等の原因となる隙間が取付部材の当接面と壁部構成板の間に形成されない。また、凸部と凹部の嵌合によって、壁部構成板は上下方向に配置された他の壁部構成板によって挟まれ、取付部材の当接面に確実に固定される。したがって、長期使用によっても、壁部構成板に反りやねじれ等は発生しにくい。
【００５５】
（ｂ）　壁部構成板の下縁部には、裏面部方向への雨水の逆流を防止するために、表面部と鋭角をなして傾斜する逆流防止面が設けてある。よって、表面部を流れ落ちる雨水は、表面部の接線方向へ流れ落ち、逆流防止面を逆流して裏面方向へ流れにくい。したがって、従来の下見と相違して、壁部構成板の裏面部方向への雨水の侵入を防止でき、壁部は腐蝕しにくい。
【００５６】
（ｃ）壁部構成板は、従来の下見板と相違して墨入れ作業等を行うことなく、凸部と凹部を嵌合させれば位置が決まり、後は釘打ち等により取付部材に固定できる。よって、熟練した作業者でなくでも容易に壁部構造体の施工ができ、施工に要する時間が短縮できる。
【００５７】
（ｄ）壁部構成板が釘打ち面を有し、釘打ち面に打たれた釘の頭部が、上部側に連結される他の壁部構成板によって表面に現れないように構成されているものは、釘の頭部は直接雨風にさらされることはないので腐蝕しにくい。したがって、壁部構造体の外観は損なわれにくい。また、雨水が釘を伝わって内部に浸透する恐れも少ないので、釘の根元部分の取付部材や壁部構成板等は腐蝕しにくい。更に、釘の腐蝕によって釘の効きが悪くなる恐れもないので、壁部構成板にがたつきが生じることを防止できる。
【００５８】
（ｅ）連結した壁部構成板の表面部側に設けて固定されている固定部材を含むものでは、壁部構成板との間で空間部を形成する溝部が固定部材の長さ方向に沿って設けてある。したがって、壁部構成板と固定部材の隙間に雨水が浸入しても、雨水は溝部を通って円滑に流れ落ちるため、水はけが良い。また、溝部によって壁部構成板と固定部材の接触部分の通気性も確保される。したがって、壁部構成板と固定部材の接触部分の腐蝕を防止できる。
【００５９】
【図面の簡単な説明】
【図１】本発明に係る壁部構成板の一実施の形態を示す斜視説明図。
【図２】壁部構成板の側面視拡大断面説明図。
【図３】本発明に係る固定部材の一実施の形態を示す斜視説明図。
【図４】壁部構成板と固定部材によって構成した壁部構造体を断面した側面視説明図。
【図５】図４のＩ−Ｉ部分に対応する端面を示す概略説明図。
【図６】本発明に係る固定部材の他の実施の形態を示し、固定部材を施工した状態の断面を示す壁面構造の一部概略説明図。
【図７】従来の「下見」と称される側壁構造を示す概略断面図。
【符号の説明】
１　壁部構成板
１１　裏面部
１２　表面部
１３　傾斜面
１３１　段差部
２　凸部
２１　傾斜面
２１１　段差部
２２　切欠部
３　凹部
３１　突起部
３１１　表面側壁部
３１２　逆流防止面
３２　突起部
３２１　裏面側壁部
３２２　下端面
４，４ａ　固定部材
４０　壁部
４１，４１ａ　溝部
４１０　空間部
４２　刻み目
５　柱
６　釘
７　下見板
７１１　下面部
８　固定部材
１０　隙間
【図１】
2004052330.tif 000003
【図２】
2004052330.tif 000004
【図３】
2004052330.tif 000005
【図４】
2004052330.tif 000006
【図５】
2004052330.tif 000007
【図６】
2004052330.tif 000008
【図７】
2004052330.tif 000009